(57)【要約】      （修正有）【課題】永久磁石とゲルマニウムとブラックシリカを複合させた健康補助具を提供する。【解決手段】基材に、永久磁石２と、この永久磁石２の周囲を取り囲む形態で配備されてゲルマニウムとブラックシリカとが練り混まれたシリコンゴムを環状に形作ってなる機能性部材３と、を保持させてある。基材は人体の皮膚に貼着することによって身体に装用される絆創膏４であっても、衣類、下着類、装身具類、サポータ類、その他の身体装用具に用いられているベース地であってもよい。機能性部材３の厚さを永久磁石２の厚さよりも薄くしてその永久磁石２を機能性部材３から突出させることによって、指圧効果を発揮させることも可能である。【選択図】図１
0003114422.tif 000002
【実用新案登録請求の範囲】
【請求項１】
身体に装用される基材に、永久磁石と、この永久磁石の周囲を取り囲む形態で配備されてゲルマニウムとブラックシリカとが練り混まれたシリコンゴムを環状に形作ってなる機能性部材と、が保持されていることを特徴とする健康補助具。
【請求項２】
上記基材が人体の皮膚に貼着することによって身体に装用される絆創膏である請求項１に記載した健康補助具。
【請求項３】
上記基材が、衣類、下着類、装身具類、サポータ類、その他の身体装用具に用いられているベース地である請求項１に記載した健康補助具。
【請求項４】
上記永久磁石の形状が偏平円板形であり、その永久磁石を取り囲んでいる上記機能性部材の形状が円環状である請求項１ないし請求項３のいずれか１項に記載した健康補助具。
【請求項５】
上記永久磁石の形状が偏平円板形であり、その永久磁石を取り囲んでいる上記機能性部材の形状が円環状であり、上記機能性部材の厚さを永久磁石の厚さよりも薄くしてその永久磁石を機能性部材から突出させてある請求項２に記載した健康補助具。
【考案の詳細な説明】
【技術分野】
【０００１】
本考案は、健康補助具、特に永久磁石によってもたらされる健康補助作用の他に、ゲルマニウムやブラックシリカによってもたらされる健康補助作用を併せて得ることのできる健康補助具に関する。
【背景技術】
【０００２】
身体に現れる肩凝り、頭痛、腰痛、目の疲れといった様々な症状を予防したり改善したりすることに役立つ効能（以下「健康補助作用」という）を発揮する物質として、永久磁石が一般的に知られているほか、ゲルマニウムやブラックシリカも近時脚光を浴びている。
【０００３】
このうち、永久磁石は、皮膚に刺激を与えない磁気の作用で筋肉内の血行を促進して筋肉の懲りをほぐす作用を発揮し、肩凝り、腰痛、神経痛などの症状を緩和することに役立つとされている。また、ゲルマニウムは、３２個の電子を持つ鉱物に含まれる亜金属の半導体であり、独自の電子特性を持つゲルマニウムの電位差が細胞の活性化を促進して肩凝り、腰痛、神経痛などの症状を緩和することに役立つとされている。加えて、ゲルマニウムは、体内に酸素を著しく増大させたり体内から有害な毒素や老廃物を排出する作用を発揮する性質を有していると云われている。さらに、ブラックシリカは、磁気放射作用により体内水分のクラスタを微細にして細胞を活性化するという性質を有し、地球で産出される多くの自然石の中でも秀でた波動エネルギーを有しているとされている。
【０００４】
一方、従来より、永久磁石と固形塊状のゲルマニウムとを組み合わせた健康補助具が種々提案されていて（たとえば、特許文献１、特許文献２参照）。これらの各特許文献によって提案されているものは、永久磁石とゲルマニウムとによる健康補助作用を得るために、固形塊状のゲルマニウムそのものをドーナツ形に成形して円板形の永久磁石の外側に嵌め込むことにより両者を組み合わせてある。
【０００５】
また、シリコンゴムなどの樹脂にゲルマニウムなどの鉱物を混入してシート状に成形し、そのシート状物を健康器具として身体に装着することも提案されている（たとえば、特許文献３参照）。
【０００６】
【特許文献１】特開昭６１−１００２６３号公報
【特許文献２】実開平０２−５３７５６号公報
【特許文献３】特開２００４−８３８９号公報
【考案の開示】
【考案が解決しようとする課題】
【０００７】
しかしながら、特許文献１や特許文献２に見られるところの、円板形の永久磁石の外側にドーナツ形に成形した固形塊状のゲルマニウムそのものを嵌め込んだものは、永久磁石の磁気による健康補助作用とゲルマニウムの電子特性による健康補助作用とが得られるだけであると考えられるほか、固形塊状のゲルマニウムをドーナツ形に成形するための加工コストが高くつくと考えられる。
【０００８】
そこで、永久磁石とゲルマニウムとによる健康補助作用に、上記したブラックシリカの放射磁気による健康補助作用を追加することを意図して、特許文献１や特許文献２によって提案されている構成を応用すると、円板形の永久磁石の外側に固形塊状に成形したドーナツ形のゲルマニウムそのものを嵌め、さらにそのゲルマニウムの外側に、ドーナツ形のブラックシリカを嵌め込むといった構成を採用せざるを得ない。
【０００９】
しかし、そのように永久磁石とゲルマニウムとブラックシリカとの３者を同心状に嵌め込んだ構成を採用すると、ゲルマニウムやブラックシリカをドーナツ形に成形するための加工コストが高くなることを避けられないばかりか、どうしてもその全体の外形が比較的大きくなり、たとえば絆創膏でそのものを身体の肩や腰などの皮膚に貼着して用いる場合には、その全体外形が大きくて装用時の違和感を生じやすくなる。
【００１０】
また、特許文献３によって提案されているものは、シート状物の形で提供されているために、身体のどこにでも貼り付けて装用するということに違和感を生じることも多く、その使用箇所の制約が多くなると考えられる。
【００１１】
本考案は以上の状況の下でなされたものであり、永久磁石の磁気による健康補助作用やゲルマニウムの電子特性による健康補助作用を得られることは勿論、それらに加えてブラックシリカの放射磁気による健康補助作用をも併せて得ることのできる健康補助具を提供することを目的とする。
【００１２】
また、本考案は、永久磁石、ゲルマニウム及びブラックシリカの３者による健康補助作用が併せて得られるものでありながら、それら３者全体の外形が装用時の違和感を生じるほどに大きくなることを回避できる健康補助具を提供することを目的とする。
【００１３】
さらに、本考案は、身体の装用箇所に指圧作用を及ぼすことのできる健康補助具を提供することを目的とする。
【課題を解決するための手段】
【００１４】
本考案に係る健康補助具は、身体に装用される基材に、永久磁石と、この永久磁石の周囲を取り囲む形態で配備されてゲルマニウムとブラックシリカとが練り混まれたシリコンゴムを環状に形作ってなる機能性部材と、が保持されていることを特徴とする健康補助具。
【００１５】
この構成の健康補助具において、永久磁石を取り囲む形態で配備されている環状の機能性部材は、シリコンゴムにゲルマニウムとブラックシリカとを練り混んで成形した大きいシートを、たとえば円環状（ドーナツ形）などに打ち抜くといった手段で容易にかつ安価に製作することができるために、当該健康補助具全体の製作コストを安く抑えることが可能になる。それにもかかわらず、永久磁石の周囲に配備された機能性部材は、シリコンゴムに練り込まれたゲルマニウムとブラッシリカとを有しているために、永久磁石の磁気による健康補助作用に加えて、ゲルマニウムの電子特性による健康補助作用と、ブラックシリカの放射磁気による健康補助作用とが併せて得られる。また、ゲルマニウムとブラックシリカとは、それぞれをドーナツ形に成形したものが個別に永久磁石の周囲に配備されているものではなく、シリコンゴムに練り込まれた形態で永久磁石の周囲に配備されているだけであるので、永久磁石とゲルマニウムとブラックシリカとの３者を同心状に嵌め込んだ場合に比べてその全体の外形が小さく抑えられる。そのため、たとえば絆創膏でそのものを身体の肩や腰などの皮膚に貼着して用いても違和感を生じにくくなる。
【００１６】
本考案では、上記基材が人体の皮膚に貼着することによって身体に装用される絆創膏である、という構成を採用したり、上記基材が、衣類、下着類、装身具類、サポータ類、その他の身体装用具に用いられているベース地である、という構成を採用したりすることが可能である。
【００１７】
このうち、基材に絆創膏を用いている前者によれば、肩や背中、腰などの任意の部位に絆創膏を直接貼り付けて身体に装用することが可能である。そのため、永久磁石や機能性部材の表面が直接に皮膚に接触し、永久磁石の磁気による健康補助作用や、機能性部材に練り込まれているゲルマニウムの電子特性による健康補助作用及びブラックシリカの放射磁気による健康補助作用を人体に効率よく及ぼすことが可能になる。また、基材に衣類などのベース地を用いている後者によれば、衣類や下着類、装身具類を着用したり、サポータ類などを着用したりするだけで、永久磁石の磁気による健康補助作用や、機能性部材に練り込まれているゲルマニウムの電子特性による健康補助作用及びブラックシリカの放射磁気による健康補助作用を人体に効率よく及ぼすことが可能になる。
【００１８】
本考案では、上記永久磁石の形状が偏平円板形であり、その永久磁石を取り囲んでいる上記機能性部材の形状が円環状であることが望ましい。この健康補助具では、偏平円板形の硬い永久磁石の周囲に、シリコンゴムを主材とする比較的柔軟な機能性部材が配備されているために、たとえば絆創膏で皮膚に貼り付けたときに、表面積の小さな永久磁石の押圧力だけが皮膚に作用し、機能性部材の押圧力はそれほど皮膚に作用しなくなり、そのために、永久磁石による指圧作用を期待することが可能になる。とりわけ、上記機能性部材の厚さを永久磁石の厚さよりも薄くしてその永久磁石を機能性部材から突出させてある、という構成を採用しておけば、上記の指圧作用がいっそう顕著に発揮されるようになる。
【考案の効果】
【００１９】
本考案によれば、永久磁石の磁気による健康補助作用、ゲルマニウムの電子特性による健康補助作用及びブラックシリカの放射磁気による健康補助作用が併せて発揮されるものであるために、特許文献１や特許文献２によって提案されている永久磁石とゲルマニウムとによる健康補助作用を凌ぐ効果を発揮する。それにもかかわらず、ゲルマニウムとブラックシリカとをシリコンゴムに練り込むことによって形成された機能性部材を永久磁石の周囲に配備してそれを基材に保持させただけの構成であるため、永久磁石と機能性部材とを合わせた全体の外形が小さく抑えられて、たとえば絆創膏を基材とした場合には皮膚の任意の部位に違和感なく貼り付けて装用することが可能になり、衣類などのベース地を基材とする場合でも永久磁石と機能性部材とをそのベース地の任意の部位に無理なく保持させることができるようになるという効果が奏される。
【考案を実施するための最良の形態】
【００２０】
図１は本考案の実施形態に係る健康補助具の平面図、図２は同健康補助具の断面図、図３は担持紙５に健康補助具を保持させた状態を例示した平面図、図４は使用状態説明図である。
【００２１】
図１及び図２に示した健康補助具１は、偏平円板形の永久磁石２と、その永久磁石２の周囲に配備した円環状（ドーナツ形）の機能性部材３とを、基材としての円形の絆創膏４の粘着面の中央に貼り付け、機能性部材３の周囲に張り出している絆創膏４の粘着面が人体の皮膚に対する貼付代４１として形成されている。永久磁石２は磁性粉が混入された硬い物質で形成されていて、柔軟性を備えていない。これに対し、機能性部材３は、シリコンゴムにゲルマニウムの粉粒体とブラックシリカの粉粒体とを練り込むことによって形成されている。したがって、機能性部材３には、シリコンゴムに特有の柔軟性ないし可撓性が備わっていて、皮膚の曲面に沿いやすいという皮膚に対する馴染み性を備えている。また、絆創膏４は極薄であり、それ自体は人体の皮膚の曲りに完全に沿う馴染み性を備えている。
【００２２】
この実施形態では、機能性部材３の厚さを永久磁石２の厚さよりも薄くしてその永久磁石２を図２のように機能性部材３から突出させてある。具体的には、機能性部材３の厚さを１ｍｍ以下、その外周直径を１３ｍｍ程度、永久磁石２の厚さを１ｍｍ程度、その直径を５ｍｍ程度に定め、さらに、絆創膏４の直径を２５ｍｍ程度に定めてある。
【００２３】
上記機能性部材３は、シリコンゴムにゲルマニウムの粉粒体とブラックシリカの粉粒体とを一様に練り混んで製作した厚さ１ｍｍ程度の矩形のシリコンゴムシートを円環状に打ち抜くことによって形成されている。
【００２４】
この健康補助具１は、たとえば図４のように、人体の皮膚Ｆに絆創膏４の貼付代４１を押し付けて貼り付けることによって身体に装用される。この使用状態では、永久磁石２と機能性部材３とが絆創膏４によって共に皮膚Ｆに直接に接触して押し付けられるので、永久磁石２の磁気による健康補助作用のほか、機能性部材３に含まれるゲルマニウムの電子特性による健康補助作用や、同じく機能性部材３に含まれるブラックシリカの放射磁気による健康補助作用とが発揮され、その効能としては、血行促進や細胞の活性化が行われて、肩や首の凝り、腰痛、頭痛、ストレスといった各種の症状を緩和させることなどが掲げられる。
【００２５】
また、機能性部材３がシリコンゴムに特有の柔軟性や可撓性を有しているのに対し、永久磁石２が硬くてその表面積が小さいので、絆創膏４によって永久磁石２と機能性部材３との両方が皮膚Ｆに押し付けられているとしても、永久磁石２による押圧力が機能性部材３による押圧力を凌ぐ結果、表面積の小さな永久磁石２が皮膚Ｆを局部的に押し付けて指圧作用を発揮するようになり、その指圧作用が機能性部材３の押付力によって相殺されて損なわれるということがない。特に、この実施形態では、永久磁石２が機能性部材３よりも突出しているために、その永久磁石２による指圧作用がいっそう顕著に発揮される。
なお、この実施形態では、１つの絆創膏４に一対の永久磁石２と機能性部材３が設けられているが、１つの絆創膏４に複数対の永久磁石２と機能性部材３が設けられてもよい。
【００２６】
図３に示したように、上記の健康補助具１は、その複数個を担持紙５に保持させておくことか望ましい。この事例では、横長の担持紙５に縦２列に亘って所要数ずつの健康補助具１を保持させてある。具体的には、担持紙５の縦２列に亘って永久磁石２が入る程度の大きさの孔を開けて並べ、それらの孔のそれぞれに、個々の健康補助具１の永久磁石２を嵌め込んで絆創膏４の貼付代４１を担持紙５に剥離可能に貼り付けてある。加えて、個々の孔には、担持紙５の端から孔に至る切り目５１を付設してあり、その切り目５１を開くことによって絆創膏４を担持紙５から剥がし取りやすくしてある。このように、健康補助具１の絆創膏４を担持紙５に貼り付けてその絆創膏４と担持紙５との間に機能性部材３を挾み込んでおくと、シリコンゴムを主材とする機能性部材３が絆創膏４の粘着面に貼り付きにくい性質を有しているとしても、その機能性部材３が絆創膏４から剥がれて紛失してしまうという事態が未然に防止されるという利点がある。
【００２７】
図５は他の実施形態に係る健康補助具１の概略正面図、図６はさらに他の実施形態に係る健康補助具１の概略正面図である。
【００２８】
図５に示した健康補助具１は、下着Ｗのベース地（布地）６を基材として採用し、そのベース地６の複数箇所に、永久磁石２とその周囲の機能性部材３とを移動しないように縫い込んで保持させてある。Ｍは機能性部材３を取り囲んでいる縫い目である。また、図６に示した健康補助具１は、複数箇所に永久磁石２とその周囲の機能性部材３とを移動しないように貼り付けて保持させたベース地７を基材としており、そのベース地７をサポータＳに縫い付けて保持させてある。
【００２９】
図５の健康補助具１によれば、下着Ｗを身体に装用するだけで、永久磁石の磁気による健康補助作用、機能性部材３に練り込まれているゲルマニウムの電子特性による健康補助作用やブラックシリカの放射磁気による健康補助作用が人体に働く。同様に、図６の健康補助具によれば、サポータＳを身体の肘や膝、その他の部位に装用するだけで、永久磁石の磁気による健康補助作用、機能性部材３に練り込まれているゲルマニウムの電子特性による健康補助作用やブラックシリカの放射磁気による健康補助作用が人体に働く。
【００３０】
図５では下着Ｗに健康補助具１を適用した事例を示し、図６ではサポータＳに健康補助具１を適用した事例を示してあるけれども、下着Ｗには、図５に示したトランクス以外の下着類全般が含まれ、サポータＳには、図５に示した帯形以外の形状のサポータ類も含まれる。また、本考案に係る健康補助具は、下着類やサポータ類に限らず、衣類、ネックレスや帽子、マフラー、ブレスレットといった装身具類、その他靴下やストッキング、靴底敷など、枕や布団といった寝具類、腹ベルトなどを含むあらゆる身体装用具に用いることが可能である。
【図面の簡単な説明】
【００３１】
【図１】本考案の実施形態に係る健康補助具の平面図である。
【図２】同健康補助具の断面図である。
【図３】担持紙に健康補助具を保持させた状態を例示した平面図である。
【図４】使用状態説明図である。
【図５】他の実施形態に係る健康補助具の概略正面図である。
【図６】さらに他の実施形態に係る健康補助具の概略正面図である。
【符号の説明】
【００３２】
１  健康補助具
２  永久磁石
３  機能性部材
４  絆創膏（基材）
６，７  ベース地（基材）
【図１】
0003114422.tif 000003
【図２】
0003114422.tif 000004
【図３】
0003114422.tif 000005
【図４】
0003114422.tif 000006
【図５】
0003114422.tif 000007
【図６】
0003114422.tif 000008